(57)【要約】【課題】本発明は、送風制御装置と、この送風制御装置を用いた冷却衣服システムに関するもので、快適性を高めることを目的とするものである。【解決手段】送風機を備えた冷却衣服１に装着される送風制御装置９あって、この送風制御装置９の本体ケースには、操作部を冷却衣服１外で操作できる状態で、この本体ケースを冷却衣服１に取り付ける取付部２２と、送風機によって冷却衣服１内から吹き出される送風を供給する通風口とを設けた。制御部は、温度センサによって検出した温度によって送風機の運転を自動制御する自動運転モードと、操作部によって送風機の運転を手動制御する手動運転モードとを、選択的に実行する構成とした。【選択図】図１
2020063541.tif 000002
【特許請求の範囲】
【請求項１】
送風機を備えた冷却衣服に装着される送風制御装置であって、
本体ケースと、
この本体ケースに設けられた操作部と、
この操作部に接続された制御部と、
この制御部に接続された温度センサ、および、出力端子とを備え、
前記本体ケースには、
前記操作部を冷却衣服外で操作できる状態で、この本体ケースを冷却衣服に取り付ける取付部と、
前記温度センサに、前記送風機によって冷却衣服内から吹き出される送風を供給する通風口とを設け、
前記制御部は、前記温度センサによって検出した温度によって前記送風機の運転を自動制御する自動運転モードと、前記操作部によって前記送風機の運転を手動制御する手動運転モードとを、選択的に実行する構成とした送風制御装置。
【請求項２】
前記本体ケースの表面に、少なくとも二つの前記操作部を設けた構成とし、
前記制御部は、複数の前記操作部が、略同時に操作された場合に自動運転モードを実行し、一つの前記操作部が単独で操作された場合に手動運転モードを実行する構成とした請求項１に記載の送風制御装置。
【請求項３】
前記本体ケース内には、
前記制御部を配置した第１の収納部と、
この第１の収納部とは水密的に分離された第２の収納部と、を設け、
前記第２の収納部内に、前記温度センサを配置するとともに、この第２の収納部に対応する前記本体ケース部分には、前記通風口を開口させた構成とした請求項１、または２に記載の送風制御装置。
【請求項４】
前記第２の収納部に対応する前記本体ケース部分には、複数の前記通風口を開口させた請求項３に記載の送風制御装置。
【請求項５】
前記本体ケースの表面側に前記操作部を設けるとともに、この本体ケースの裏面側に前記取付部を設けた請求項１から４のいずれか一つに記載の送風制御装置。
【請求項６】
請求項１から５のいずれか一つに記載の送風制御装置を用いた冷却衣服システムであって、
前記送風制御装置と、
この送風制御装置の本体ケースが、取付部によって取り付けられるとともに、送風機と、電源とを有する冷却衣服とを備え、
前記冷却衣服の表面側には、前記取付部によって前記送風制御装置の前記本体ケースが取り付けられる被取付部を配置し、この被取付部近傍の前記冷却衣服部分には、前記冷却衣服内から前記冷却衣服外へと送風が行われる送風口を設けた冷却衣服システム。
【請求項７】
前記送風制御装置と、電源または送風機とを、接続するケーブルを設け、このケーブルの電源側または送風機側は、前記冷却衣服の前記被取付部近傍に配置した配線口を介して前記冷却衣服内に取り込まれ、この冷却衣服の見返し部分を介して、前記電源または前記送風機に接続される構成とした請求項６に記載の冷却衣服システム。
【請求項８】
前記送風制御装置の出力端子と前記電源の充電端子とを接続するケーブルを設けた請求項６に記載の冷却衣服システム。
【請求項９】
前記送風制御装置の出力端子と前記電源の充電端子とを接続するケーブルの電源側は、前記冷却衣服の前記被取付部近傍に配置した配線口を介して前記冷却衣服内に取り込まれ、この冷却衣服の見返し部分を介して前記電源の充電端子に接続される構成とした請求項８に記載の冷却衣服システム。
【発明の詳細な説明】
【技術分野】
【０００１】
本発明は、送風制御装置と、この送風制御装置を用いた冷却衣服システムに関するものである。
【背景技術】
【０００２】
送風機を備えた冷却衣服が実用化され脚光を浴びている。
すなわち、送風機によって外気を冷却衣服内に取り込み、汗を乾燥させやすくすることで、冷却効果を高めるものであって、多くの使用者に好評を博している。
また、温度センサを装着することで、外気温によって前記送風機の送風量を制御するものも提案されている（これに類似する構成としては例えば、下記特許文献１が存在する）。
【先行技術文献】
【特許文献】
【０００３】
【特許文献１】国際公開第２００５／０６３０６５号
【発明の概要】
【発明が解決しようとする課題】
【０００４】
上記温度センサを装着したものでは、外気温によって送風機の送風量が自動的に制御されるので、この冷却衣服を装着した使用者は、自分で操作をしなくても外気温によって送風量が調整され、利便性の高いものとなる。
【０００５】
しかしながら、暑さ、涼しさ、寒さに対する感覚は、個人的に大きく差異を有するものであって、上記自動制御が個人の快適性には結びつかないこともある。
例えば、酷暑の室外現場から、冷房の効いた室内に、事務作業のために一時的に入室し、その後、再び室外現場に出向く人物にとっては、先ほどまでが酷暑の環境であったので、送風量を下げられたとしても寒く感じたり、あるいは、逆に、室内での涼しさを期待していた人物には、十分な涼しさを感じなかったりすることもあり、不満感を感ずることになる。
【０００６】
そこで、本発明は、快適性を高めることを目的とするものである。
【課題を解決するための手段】
【０００７】
そして、この目的を達成するために本発明の送風機を備えた冷却衣服に装着される送風制御装置は、本体ケースと、この本体ケースに設けられた操作部と、この操作部に接続された制御部と、この制御部に接続された温度センサ、および、出力端子とを備え、前記本体ケースには、前記操作部を冷却衣服外で操作できる状態で、この本体ケースを冷却衣服に取り付ける取付部と、前記温度センサに、前記送風機によって冷却衣服内から吹き出される送風を供給する通気口とを設け、前記制御部は、前記温度センサによって検出した温度によって前記送風機の運転を自動制御する自動運転モードと、前記操作部によって送風機の運転を手動制御する手動運転モードとを、選択的に実行する構成とした。
【０００８】
本発明の送風制御装置は、前記本体ケースの表面に、少なくとも二つの前記操作部を設けた構成とし、前記制御部は、複数の前記操作部が、略同時に操作された場合に自動運転モードを実行し、一つの前記操作部が単独で操作された場合に手動運転モードを実行する構成とした。
【０００９】
本発明の送風制御装置は、前記本体ケース内には、前記制御部を配置した第１の収納部と、この第１の収納部とは水密的に分離された第２の収納部と、を設け、前記第２の収納部内に、前記温度センサを配置するとともに、この第２の収納部に対応する前記本体ケース部分には、前記通風口を開口させた構成とした。
【００１０】
本発明の送風制御装置は、前記第２の収納部に対応する前記本体ケース部分には、複数の前記通風口を開口させた。
【００１１】
本発明の送風制御装置は、前記本体ケースの表面側に前記操作部を設けるとともに、この本体ケースの裏面側に前記取付部を設けた。
【００１２】
また、本発明の、送風制御装置を用いた冷却衣服システムは、前記送風制御装置と、この送風制御装置の本体ケースが、取付部によって取り付けられるとともに、送風機と、電源とを有する冷却衣服とを備え、前記冷却衣服の表面側には、前記取付部によって送風制御装置の本体ケースが取り付けられる被取付部を配置し、この被取付部近傍の冷却衣服部分には、冷却衣服内から冷却衣服外へと送風が行われる送風口を設けたものである。
【００１３】
本発明の冷却衣服システムは、前記送風制御装置と、電源または送風機とを、接続するケーブルを設け、このケーブルの電源側または送風機側は、前記冷却衣服の前記被取付部近傍に配置した配線口を介して前記冷却衣服内に取り込まれ、この冷却衣服の見返し部分を介して、前記電源または前記送風機に接続される構成とした。
【００１４】
本発明の冷却衣服システムは、前記送風制御装置の出力端子と前記電源の充電端子とを接続するケーブルを設けた。
【００１５】
本発明の冷却衣服システムは、前記送風制御装置の出力端子と前記電源の充電端子とを接続するケーブルの電源側は、前記冷却衣服の前記被取付部近傍に配置した配線口を介して前記冷却衣服内に取り込まれ、この冷却衣服の見返し部分を介して前記電源の充電端子に接続される構成とした。
【発明の効果】
【００１６】
以上のように本発明の送風機を備えた冷却衣服に装着される送風制御装置は、送風機の運転を自動制御する自動運転モードと、操作部によって送風機の運転を手動制御する手動制御モードとを、選択的に実行することが出来るものであるので、個人の好みに応じた冷却動作を実行することが出来、極めて快適性の高いものとなる。
【００１７】
また、自動運転モードと、手動運転モードの選択は、操作部を、冷却衣服外で操作することで切り換えることが出来、極めて利便性の高いものとなる。
【００１８】
さらに、本発明の冷却衣服システムは、冷却衣服の表面側の被取付部に、送風制御装置が取付部によって取り付けられ、その状態で、冷却服の送風口を介して、冷却衣服内から冷却衣服外へと送風が行われる構成としたので、自動運転モードも簡単に実行することが出来ることとなり、利便性の高いものとなる。
【図面の簡単な説明】
【００１９】
【図１】本発明の一実施形態にかかる送風制御装置と、この送風制御装置を用いた冷却衣服システムを示す斜視図
【図２】同背面図
【図３】同一部正面図
【図４】本発明の一実施形態にかかる送風制御装置の表面側の斜視図
【図５】同送風制御装置の分解斜視図
【図６】同送風制御装置の裏面側の斜視図
【図７】同送風制御装置の一部分の斜視図
【図８】同送風制御装置の断面図
【図９】同送風制御装置と、この送風制御装置を用いた冷却衣服システムの回路図
【図１０】同送風制御装置と、この送風制御装置を用いた冷却衣服システムの動作フローチャート
【図１１】同送風制御装置と、この送風制御装置を用いた冷却衣服システムの動作フローチャート
【発明を実施するための形態】
【００２０】
（実施の形態１）
以下、本発明の一実施形態を、添付図面を用いて説明する。
【００２１】
図１〜図３において、１は冷却衣服で、その背中部分の下方には、二つの送風機２が装着されている。
また、送風機２には、それぞれケーブル３を介して電源４が接続されている。
すなわち、送風機２を駆動することで、冷却衣服１外の空気を、この送風機２を介して冷却衣服１内に吸い込み、次に、冷却衣服１内を流動させ、その後、首元開口５や袖口６から冷却衣服１外に排出し、冷却衣服１内の温度や湿度を低減させ、快適性を高めるものである。
なお、冷却衣服１は、それ自体は通気性を押さえた材料で形成され、また、その下部には、空気が下方へと漏洩しないように絞り７が形成されている。
【００２２】
本実施形態で特徴的なのは、電源４にケーブル８を介して送風制御装置９が接続されていることである。
この送風制御装置９は、図４〜図９に示すように、本体ケース１０と、この本体ケース１０に設けられた操作部１１と、この操作部１１に接続された制御部１２と、この制御部１２に接続された温度センサ１３、および、出力端子１４とを備えている。
【００２３】
さらに詳細に説明すると、本体ケース１０は、上ケース１５と、下ケース１６を上下に結合させた構成となっており、この本体ケース１０内は、制御部１２を配置した収納部１７ａと、この収納部１７ａとは水密的に分離され、前記温度センサ１３を配置した収納部１７ｂが形成されている。
つまり、制御部１２を配置した収納部１７ａは、パッキング１８、１９によって本体ケース１０外、および、収納部１７ｂとは水密的に分離された構成としているのである。
なお、パッキング１９は、温度センサ１３を実装した基板２０の外周に装着したものであり、基板２０のパッキング１９外部分だけが収納部１７ｂに突出され、この部分において基板２０に温度センサ１３が実装されている。
温度センサ１３を収納している収納部１７ｂを構成する本体ケース１０部分には、上ケース１５にも、下ケース１６にも、それぞれ複数の通風口２１を設けている。
【００２４】
本体ケース１０の裏面側、つまり、下ケース１６には、送風制御装置９を冷却衣服１に取り付けるための取付部２２を設けている。
この取付部２２はバネ性の金属材をペンホルダー形状に加工したものであり、図１、図８に示すように冷却衣服１の胸部分に形成したポケット形状の被取付部２３に、上方から下方へと押し込んで引っ掛けることで、取り付けるようにしている。
そして、この状態では本体ケース１０の表面側、つまり上ケース１５部分が冷却衣服１の外側に表出した状態となるので、この上ケース１５部分に装着した操作部１１は、冷却衣服１外で操作できる状態となる。
【００２５】
次に、操作部１１について詳細に説明する。
この操作部１１は、本体ケース１０の表面に、少なくとも二つの操作部２４、２５を有する構成としており、後述するが、前記制御部１２は、操作部２４、２５が、略同時に操作された場合に自動運転モードを実行し、操作部２４が単独で操作された場合には風量を増加させる手動運転モード、また、操作部２５が単独で操作された場合には風量を減少させる手動運転モードを実行する構成としている。
つまり、本実施形態では、温度センサ１３によって検出した温度によって前記送風機２の運転を自動制御する自動運転モードと、前記操作部２４、２５によって送風機２の運転を手動制御する手動運転モードとを、選択的に実行する構成としている。
【００２６】
また、冷却衣服１の被取付部２３近傍には、図１、図８のように、冷却衣服１内から冷却衣服１外へと送風が行われる送風口２６を設けている。
つまり、本実施形態では、送風制御装置９を取付部２２で、冷却衣服１の被取付部２３に取り付ければ、冷却衣服１の送風口２６と、送風制御装置９の通風口２１が対応する状態となり、これにより、冷却衣服１からの送風は、送風制御装置９の通風口２１を介して温度センサ１３部分に到達し、温度が測定できることとなる。
なお、送風制御装置９の通風口２１は、上ケース１５にも、下ケース１６にも、それぞれ複数形成しているので、冷却衣服１からの送風が入りやすくなる。
また、収納部１７ｂに雨水が浸入しても、前記冷却衣服１からの送風で排出されやすくもなる。
【００２７】
次に、送風制御装置９と電源４を接続したケーブル８は、冷却衣服１の被取付部２３近傍、具体的には近傍下方に配置した配線口２７を介して冷却衣服１内に取り込まれ、図３に示すように、この冷却衣服１の見返し部分４５を介して電源４に接続されている。
つまり、ケーブル８は見返し部分４５部分で包まれた状態となるので、肌身に対して違和感を与えにくい状態となっている。
【００２８】
なお、回路、および、動作については、以下において詳細に説明するが、送風制御装置９と電源４を接続し、送風機２の動作制御を行っても、送風制御装置９と送風機２を接続し、送風機２の動作制御を行っても良い。
図９は、送風制御装置９、電源４、送風機２の接続状態を示す回路図である。
以下、送風制御装置９、電源４、送風機２の構成、動作について詳細に説明する。
先ず、送風制御装置９は、上述のごとく、操作部１１に接続された制御部１２と、この制御部１２に接続された温度センサ１３、出力端子１４、操作部２４、２５、メモリ２８、電池２９とを備えている。
メモリ２８内には、図１０に示すプログラムが格納されている。
【００２９】
次に、電源４は、本件特許出願人が、２０１８年４月２０日に特許出願（特願２０１８−８１４８２号）し、２０１８年７月１３日に設定登録された特許（特許第６３６５９１６号）の図１で用いたものであるので、接続構成の詳細は、説明の煩雑化を避けるために簡単に説明し、動作説明を中心に説明する。
【００３０】
すなわち、電源４は充電端子３０と、出力端子３１を有し、本実施形態では、前記送風制御装置９の出力端子１４を、電源４の充電端子３０に接続している。
つまり、電源４の充電端子３０は、電源４の電池４４への充電と、送風制御装置９からの制御信号の入力とを、選択的に接続できる状態としている。
また、電源４の出力端子３１には、送風機２が接続されており、この送風機２は、電源４から供給される電圧が７Ｖの時には強運転、電源４から供給される電圧が６Ｖの時には中運転、電源４から供給される電圧が５Ｖの時には弱運転、電源４から供給される電圧が３Ｖの時には最弱運転となる。
つまり、電源４は、１２Ｖの電池４４からの電圧を、昇圧回路３２のデューティ制御により、電圧調整を行い、抵抗３３、３４で分圧後、上記７Ｖ（強運転）、６Ｖ（中運転）、５Ｖ（弱運転）、３Ｖ（最弱運転）を送風機２に供給することで、運転制御を行っている。
なお、充電時には、スイッチング素子３５がＯＮ、スイッチング素子３６、３７がＯＦＦ、送風機２への通電時には、スイッチング素子３５がＯＦＦ、スイッチング素子３６、３７がＯＮとなる。
このような動作は、制御部３８によって行われ、図１１に示す動作プログラムは、制御部３８に接続されたメモリ３９に格納されている。
なお、制御部３８には、表示部４０、電源スイッチ４１が接続されている。
【００３１】
次に、動作説明を行う。
先ず、電源４の制御部３８は、充電端子３０の電圧を検出する。
図９のように、前記送風制御装置９の出力端子１４が、電源４の充電端子３０に接続されていると、充電端子３０には３Ｖしか供給されないので、送風制御装置９による送風機２の制御を実行することになる（図１１のＳ１、Ｓ２、Ｓ３）。
なお、電源４の充電端子３０に、充電装置（図示せず）が接続された時には、充電端子３０には１２Ｖが供給され、電源４は、電池４４への充電動作を実行する（図１１のＳ１５）。
また、電源４の充電端子３０の電圧検出は、抵抗４２、４３の分圧で検出することが出来る。
電源４の制御部３８は、このようにして、送風制御装置９の動作指示を待ち受けることが出来る。
【００３２】
一方、送風制御装置９の制御部１２は、操作部２４、２５の操作状態を確認している。
つまり、操作部２４、２５がほぼ同時に操作されると、制御部１２は自動運転モードへと移行する（図１０のＳ１）。
この状態になると、制御部１２は温度センサ１３からの温度信号を検出し、外気温が３４℃以上になると、送風機２を強運転するように指示を出す（図１０のＳ２、Ｓ３）。
また、制御部１２は温度センサ１３からの温度信号を検出し、外気温が３４℃よりも低く、３２℃以上であると、送風機２を中運転するように指示を出す（図１０のＳ４、Ｓ５）。
また、制御部１２は温度センサ１３からの温度信号を検出し、外気温が３２℃よりも低く、３０℃以上であると、送風機２を弱運転するように指示を出す（図１０のＳ６、Ｓ７）。
また、制御部１２は温度センサ１３からの温度信号を検出し、外気温が３０℃よりも低いと、送風機２を最弱運転するように指示を出す（図１０のＳ８）。
【００３３】
制御部１２からの運転指示は、図９に示す３ＶのＯＮ、ＯＦＦ信号のデューティによって電源４の制御部３８に伝達され、前記デューティにより指示信号が形成されている。
電源４の制御部３８は、（図１１のＳ３）にて、制御部１２からの運転指示を受け入れ、自動運転であるときには、温度センサ１３で検出した外気温に対応した送風機２の運転制御を行う（図１１のＳ４、Ｓ５）。
つまり、制御部３８は温度センサ１３により検出した外気温が３４℃以上になると、送風機２を強運転する（図１１のＳ５）。
また、制御部１２は温度センサ１３により検出した外気温が３４℃よりも低く、３２℃以上であると、送風機２を中運転する（図１１のＳ５）。
また、制御部１２は温度センサ１３により検出した外気温が３２℃よりも低く、３０℃以上であると、送風機２を弱運転する（図１１のＳ５）。
また、制御部１２は温度センサ１３により検出した外気温が３０℃よりも低いと、送風機２を最弱運転する（図１１のＳ５）。
【００３４】
次に、送風制御装置９の操作部２４、または２５を一度操作すると、手動運転モードが実行される。具体的には、操作部２４を操作するたびに、制御部１２は、送風機２の風量を一段上昇させるように指示する（図１０のＳ９、Ｓ１０）。
すると、電源４の制御部３８は、送風機２の風量を一段上昇させる（図１１のＳ６、Ｓ７）。
また、送風制御装置９の操作部２５を操作するたびに、制御部１２は、送風機２の風量を一段下降させるように指示する（図１０のＳ１１、Ｓ１２）。
すると、電源４の制御部３８は、送風機２の風量を一段下降させる（図１１のＳ８、Ｓ９）。
また、自動運転モードを実行中でも、操作部２４のみを操作するたびに、制御部１２は、送風機２の風量を一段上昇させるように指示する（図１０のＳ１３）。
すると、電源４の制御部３８は、送風機２の風量を、検出外気温の自動運転状態から一段上昇させる（図１１のＳ１０、Ｓ１１、Ｓ１２）。
また、自動運転モードを実行中でも、操作部２５のみを操作するたびに、制御部１２は、送風機２の風量を一段下降させるように指示する（図１０のＳ１４）。
すると、電源４の制御部３８は、送風機２の風量を、検出外気温の自動運転状態から一段下降させる（図１１のＳ１０、Ｓ１１、Ｓ１３、Ｓ１４）。
【００３５】
以上のように本実施形態では、送風機２の運転を自動運転モード（操作部２４、２５を同時操作）、手動運転モード（操作部２４または２５の単独操作）に簡単に切り替えることが出来るので、極めて利便性の高いものとなる。
また、送風機２の運転を自動運転モード、手動運転モードに切り替える操作は、送風制御装置９の操作部２４、２５を冷却衣服１の外部にて行えるので、操作も極めて簡単に行える。
このため、酷暑の室外現場から、冷房の効いた室内に、事務作業のために一時的に入室し、その後、再び室外現場に出向く人物にとっては、先ほどまでが酷暑の環境であったので、送風量を下げられたとしても寒く感じたり、あるいは、逆に、室内での涼しさを期待していた人物には、十分な涼しさを感じなかったりする時には、冷却衣服１を脱ぐことなく、操作部２４、２５の操作で簡単に、それぞれの人物にとって、快適な運転動作へと移行させることが出来、極めて快適性の高いものとなる。
【００３６】
なお、温度センサ１３によって検出した外気温が、例えば体温よりも高い状況まで到達した場合には、送風機２の風量を増大させると、暑く感じる人物もいるので、その場合には、逆に、送風機２の風量を下げることも、制御部１２のプログラム変更で簡単に実行可能である
【００３７】
以上のように本発明は冷却衣服１の自動運転モードと、手動運転モードの切り替えが、冷却衣服１外から簡単にきりかえることが出来るので、極めて快適性の高いものとなる。
【００３８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３９】
１  冷却衣服
２  送風機
３  ケーブル
４  電源
５  首元開口
６  袖口
７  絞り
８  ケーブル
９  送風制御装置
１０  本体ケース
１１  操作部
１２  制御部
１３  温度センサ
１４  出力端子
１５  上ケース
１６  下ケース
１７ａ  収納部（第１の収納部）
１７ｂ  収納部（第２の収納部）
１８  パッキング
１９  パッキング
２０  基板
２１  通風口
２２  取付部
２３  被取付部
２４  操作部
２５  操作部
２６  送風口
２７  配線口
２８  メモリ
２９  電池
３０  充電端子
３１  出力端子
３２  昇圧回路
３３  抵抗
３４  抵抗
３５  スイッチング素子
３６  スイッチング素子
３７  スイッチング素子
３８  制御部
３９  メモリ
４０  表示部
４１  電源スイッチ
４２  抵抗
４３  抵抗
４４  電池
４５  見返し部分
【図１】
2020063541.tif 000003
【図２】
2020063541.tif 000004
【図３】
2020063541.tif 000005
【図４】
2020063541.tif 000006
【図５】
2020063541.tif 000007
【図６】
2020063541.tif 000008
【図７】
2020063541.tif 000009
【図８】
2020063541.tif 000010
【図９】
2020063541.tif 000011
【図１０】
2020063541.tif 000012
【図１１】
2020063541.tif 000013